(57)【要約】      （修正有）【課題】歯科治療中に患者が詰め物等を誤飲・誤嚥することを防止する歯科治療用誤飲・誤嚥防止具を提供する。【解決手段】メッシュ素材によって形成され、本体部１２と左右一対の側方突出部１４ａ，１４ｂとを有する。本体部１２は、上方に凸状のほぼ半円形状をなし、患者の食道及び気管に連通する口腔流路４０に対応するとともに、本体部１２の上縁部及びその近傍は、患者の口蓋３４に対応している、左右一対の側方突出部１４ａ，１４ｂは、本体部１２から左右の各側方に突出し、本体部１２の左右患者の左右一対の頬粘膜３２ａ，３２ｂに対応している。【選択図】図１
0003204186.tif 000002
【実用新案登録請求の範囲】
【請求項１】
歯科治療の際において患者の口腔内に配設されて使用される歯科治療用誤飲・誤嚥防止具であって、
メッシュ素材によって形成され、本体部と左右一対の側方突出部とを有し、
前記本体部は、上方に凸状のほぼ半円形状をなし、当該患者の食道及び気管に連通する口腔流路に対応するとともに、当該本体部の上縁部及びその近傍は、当該患者の口蓋に対応し、
前記左右一対の側方突出部は、前記本体部から左右の各側方に突出し、前記本体部の左右当該患者の左右一対の頬粘膜に対応している、
歯科治療用誤飲・誤嚥防止具。
【請求項２】
請求項１に記載の歯科治療用誤飲・誤嚥防止具であって、
その周縁部に縁材が配設されている、
歯科治療用誤飲・誤嚥防止具。
【請求項３】
請求項１又は請求項２に記載の歯科治療用誤飲・誤嚥防止具であって、
可撓性及び弾性を有し、
その弾性率は、前記患者の口腔内の各部位に当該歯科治療用誤飲・誤嚥防止具の各部位が当該患者の唾液によって貼着して当該歯科治療用誤飲・誤嚥防止具がセットされた状態で、当該歯科治療用誤飲・誤嚥防止具が当該口腔内の曲面になじむように変形した状態が維持される程度のものである、
歯科治療用誤飲・誤嚥防止具。
【考案の詳細な説明】
【技術分野】
【０００１】
本考案は、歯科治療の際に誤飲・誤嚥の発生を防止するために使用される用具に関するものである。
【背景技術】
【０００２】
歯科医が患者の歯に対して詰め物をする治療を行う際等において、歯科医が、患者の口腔内において、その詰め物等を誤って落下させてしまうこともある。
その場合、歯科医がその詰め物等を拾うことができればよいのであるが、患者が誤って飲み込んでしまう場合もある。すなわち、患者が誤飲した場合は食道に流入し、誤嚥した場合は気管に流入する。その場合は、その詰め物を失うだけでなく、患者に大きな負担をかけることとなる。
そこで、歯科治療中において詰め物の誤飲や誤嚥を防止する必要がある。
【０００３】
なお、本考案に関連する先行技術として、特許文献１に記載されているものがある。
【先行技術文献】
【特許文献】
【０００４】
【特許文献１】特開平１１−０９９１６０号公報
【考案の概要】
【考案が解決しようとする課題】
【０００５】
本考案は、歯科治療中に患者が詰め物等を誤飲・誤嚥することを防止できる用具を提供することを課題とする。
【課題を解決するための手段】
【０００６】
この課題を解決するために、請求項１に係る考案は、歯科治療の際において患者の口腔内に配設されて使用される歯科治療用誤飲・誤嚥防止具であって、メッシュ素材によって形成され、本体部と左右一対の側方突出部とを有し、前記本体部は、上方に凸状のほぼ半円形状をなし、当該患者の食道及び気管に連通する口腔流路に対応するとともに、当該本体部の上縁部及びその近傍は、当該患者の口蓋に対応し、前記左右一対の側方突出部は、前記本体部から左右の各側方に突出し、前記本体部の左右当該患者の左右一対の頬粘膜に対応している、歯科治療用誤飲・誤嚥防止具である。
【０００７】
この考案の歯科治療用誤飲・誤嚥防止具では、次のように使用され、次の作用効果が得られる。
この考案の歯科治療用誤飲・誤嚥防止具は、歯科治療が行われる際に、予め、患者の口腔内にセットされる。すなわち、左右一対の側方突出部が左右一対の各頬粘膜に接触し、本体部の上縁部及びその近傍が口蓋に接触するようにされる。その際、口腔内の唾液によって、各側方突出部は各頬粘膜に対して貼着し、本体部の上縁部及びその近傍は口蓋に対して貼着し、位置固定的にセットされる。
その状態で、本体部が患者の口腔流路を閉塞する。
このため、仮に歯科医が患者の口腔内において詰め物等を誤って落下させてしまった場合においても、その詰め物等が口腔流路内に流入することが防止される。こうして、患者が誤飲や誤嚥をすることが確実に防止される。
なお、この歯科治療用誤飲・誤嚥防止具はメッシュ素材によって形成されており、多数の孔を有しているため、空気や水等の液体が流通することは可能であり、患者の呼吸等を阻止することはない。
【０００８】
請求項２に係る考案は、請求項１に係る考案の歯科治療用誤飲・誤嚥防止具であって、その周縁部に縁材が配設されている、歯科治療用誤飲・誤嚥防止具である。
【０００９】
この考案の歯科治療用誤飲・誤嚥防止具では、請求項１に係る考案の歯科治療用誤飲・誤嚥防止具の作用効果に加えて、次の作用効果が得られる。
すなわち、この歯科治療用誤飲・誤嚥防止具では、その周縁部に縁材を有しているために、メッシュ素材を構成する線状材の端部が患者の口腔内部に対して直接的に接触することが防止され、そのことで患者に刺激を与えることが防止される。
【００１０】
請求項３に係る考案は、請求項１又は請求項２に係る考案の歯科治療用誤飲・誤嚥防止具であって、可撓性及び弾性を有し、その弾性率は、前記患者の口腔内の各部位に当該歯科治療用誤飲・誤嚥防止具の各部位が当該患者の唾液によって貼着して当該歯科治療用誤飲・誤嚥防止具がセットされた状態で、当該歯科治療用誤飲・誤嚥防止具が当該口腔内の曲面になじむように変形した状態が維持される程度のものである、歯科治療用誤飲・誤嚥防止具である。
【００１１】
この考案の歯科治療用誤飲・誤嚥防止具では、請求項１又は請求項２に係る考案の歯科治療用誤飲・誤嚥防止具の作用効果に加えて、次の作用効果が得られる。
すなわち、この歯科治療用誤飲・誤嚥防止具は弾性を有しており、通常は基本的形状が維持されているため、この歯科治療用誤飲・誤嚥防止具は、患者の口腔内に容易にセットされ得る。
また、この歯科治療用誤飲・誤嚥防止具は可撓性を有するとともに、弾性率が上記のものであるため、患者の口腔内にセットされた状態で、その口腔内の曲面になじむ。このため、患者にかかる負担は最小限のものとなる。
【図面の簡単な説明】
【００１２】
【図１】患者の口腔内の構造、及び、本考案の実施例１の歯科治療用誤飲・誤嚥防止具を示す正面図である。
【図２】本考案の実施例１の歯科治療用誤飲・誤嚥防止具の使用状態を示す正面図である。
【図３】本考案の実施例２の歯科治療用誤飲・誤嚥防止具を示す正面図である。
【考案を実施するための形態】
【００１３】
まず、人間（患者）の口腔内の構造（口を開けた状態）を説明する。
図１に示すように、口腔内には上歯列３０ａ，下歯列３０ｂが存在している。上歯列３０ａのうちの左右の各端部と、下歯列３０ｂのうちの左右の各端部との間の部分は、左右一対の頬粘膜３２ａ，３２ｂである。
上顎の側のうち、上歯列３０ａの奥側には口蓋３４（硬口蓋・軟口蓋）が存在しており、口蓋３４（軟口蓋）からは口蓋垂３６が垂れ下がっている。下顎側（その上部）からは舌３８が延びている。
口腔内のほぼ中央部には、口腔流路４０（その上流端）が形成されている。口腔流路４０は下方に延び、その下流側において、食道及び気管（いずれも図示省略）に連通している。
【００１４】
［実施例１］
次に、本考案の実施例１の歯科治療用誤飲・誤嚥防止具について、図１〜図２に基づいて説明する。
図１に示すように、この歯科治療用誤飲・誤嚥防止具１０Ａは、合成樹脂のメッシュ素材によって面状（基本的形状として一平面状）に形成されている。
すなわち、この歯科治療用誤飲・誤嚥防止具１０Ａは、２方向に各々平行に延びる多数の線状材（符号省略）が交差する形状を有しており、各々２組の隣接する線状材によって、多数の孔（符号省略）が形成されている。
【００１５】
この歯科治療用誤飲・誤嚥防止具１０Ａは、上方に凸状のほぼ半円形状をなすとともに、その左右の端部は左右の各側方に突出している。
すなわち、この歯科治療用誤飲・誤嚥防止具１０Ａは、本体部１２，左右一対の側方突出部１４ａ，１４ｂを有している。
本体部１２は、上方に凸状のほぼ半円形状をなしている。本体部１２（そのうちの左右方向における中央部のうちの略下半部）は口腔流路４０に対応している。本体部１２の円弧状の上縁部及びその近傍は、口蓋３４（そのうちの口腔流路４０の側の部分）に対応している。
左右一対の側方突出部１４ａ，１４ｂは、ほぼ縦長の長方形状をしているとともに、その上方かつ側方の角部は丸く面取りされている。左右一対の側方突出部１４ａ，１４ｂは、左右一対の頬粘膜３２ａ，３２ｂに対応している。
【００１６】
この歯科治療用誤飲・誤嚥防止具１０Ａ（その各線状材）は、合成樹脂によって形成されており（このことは前述）、可撓性を有しているとともに、所定の弾性（弾性率は小さい）を有している。
すなわち、この歯科治療用誤飲・誤嚥防止１０Ａは、その基本的形状として一平面状をしているとともに（このことも前述）、弱い外力が加わることによっても容易に変形可能である。また、その外力が除かれた際には基本的形状に戻る。その弾性率は、後述のような作用を奏する程度に小さいものである。
【００１７】
次に、この歯科治療用誤飲・誤嚥防止具１０Ａの使用方法及び作用効果について説明する。
歯科医が患者の歯に対して詰め物をする治療を行う際等において、図２に示すように、歯科医は、予め、歯科治療用誤飲・誤嚥防止具１０Ａを患者の口腔内にセットする。
すなわち、左右一対の側方突出部１４ａ，１４ｂを左右一対の各頬粘膜３２ａ，３２ｂに接触させるとともに、本体部１２の上縁部及びその近傍を口蓋３４に接触させる。その際、口腔内の唾液によって、各側方突出部１４ａ，１４ｂは各頬粘膜３２ａ，３２ｂに対して貼着し、本体部１２の上縁部及びその近傍は口蓋３４に対して貼着する。
こうして、歯科治療用誤飲・誤嚥防止具１０Ａは、口腔内の所定の位置に位置固定的にセットされる。
【００１８】
その際、前述のように、この歯科治療用誤飲・誤嚥防止具１０Ａは一定の弾性を有しており、通常は基本的形状が維持されているため、上述のセットがしやすい。すなわち、仮にガーゼのように弾性を有していない場合は、基本的形状を維持していないために、それを基本的形状（それに近い状態）にしつつセットするのは大変であるが、この歯科治療用誤飲・誤嚥防止具１０Ａでは容易にセットすることができる。
また、この歯科治療用誤飲・誤嚥防止具１０Ａは可撓性を有しており、弾性率も小さいため、上述のように患者の口腔内にセットする際に、その口腔内の曲面によくなじむように変形する。すなわち、前述のように歯科治療用誤飲・誤嚥防止具１０Ａの各部位が唾液によって口腔内の各部位に接着することによって、その曲面になじんだ状態（その曲面に沿った状態又はほぼ沿った状態）に維持される。
【００１９】
上記のように歯科治療用誤飲・誤嚥防止具１０Ａが患者の口腔内にセットされた状態で、その本体部１２（そのうちの左右方向における中央部のうちの略下半部）が口腔流路４０を閉塞する。
このため、仮に歯科医が患者の口腔内において詰め物等を誤って落下させてしまった場合においても、その詰め物等は歯科治療用誤飲・誤嚥防止具１０Ａによって、口腔流路４０内に流入する（ひいては食道や気管に流入する）ことが防止される。すなわち、その詰め物等は、歯科治療用誤飲・誤嚥防止具１０Ａによって、それ以上に下流側に移動することが阻止され、口腔内に留まる。
このため、歯科医は、その詰め物等を拾うことが可能であり、患者がその詰め物等を誤飲や誤嚥をすることが確実に防止される。
【００２０】
一方で、この歯科治療用誤飲・誤嚥防止具１０Ａはメッシュ素材によって形成されており、多数の孔を有しているため（このことは前述）、空気や水等の液体が流通することは可能である。このため、患者の呼吸等を阻止することはない。
また、この 歯科治療用誤飲・誤嚥防止具１０Ａは、患者の口腔内にセットされた状態で、患者の口腔内の曲面になじんだ状態が維持されるため、患者のかかる負担は最小限のものとされる。
【００２１】
［実施例２］
次に、本考案の実施例２について、図３に基づいて説明する。
この歯科治療用誤飲・誤嚥防止具１０Ｂは、実施例１の歯科治療用誤飲・誤嚥防止具１０Ａの変形例であり、相違点を中心に説明する。実施例１と共通する要素については、同一の符号を付すことによって、説明を適宜省略する。
【００２２】
この歯科治療用誤飲・誤嚥防止具１０Ｂもメッシュ素材によって形成されており、実施例１の歯科治療用誤飲・誤嚥防止具１０Ａと同様の形状を有している。
そして、この歯科治療用誤飲・誤嚥防止具１０Ｂは、その周縁部に縁材１６を有している。
縁材１６は、メッシュ素材を構成する線状材と同様に、合成樹脂によって形成されており、可撓性を有しているとともに、所定の弾性を有している。このため、この歯科治療用誤飲・誤嚥防止具１０Ｂ全体としても、可撓性を有しているとともに、所定の弾性を有している。
【００２３】
この歯科治療用誤飲・誤嚥防止具１０Ｂでは、縁材１６を有しているために、メッシュ素材を構成する線状材の端部が患者の口腔内部に対して直接的に接触することが防止され、そのことで患者に刺激を与えることが防止される。
【００２４】
なお、上記のものはあくまで本考案の数例の実施例にすぎず、当業者の知識に基づいて種々の変更を加えた態様で本考案を実施できることはもちろんである。
例えば、メッシュ素材の網目構造は上記のものに限らず、種々のものが使用され得る。また、その目の細かさについても、種々のものが使用され得る。
【符号の説明】
【００２５】
１０Ａ，１０Ｂ  歯科治療用誤飲・誤嚥防止具
１２  本体部
１４ａ，１４ｂ  側方突出部
１６  縁材
３２ａ，３２ｂ  頬粘膜
３４  口蓋
４０  口腔流路
【図１】
0003204186.tif 000003
【図２】
0003204186.tif 000004
【図３】
0003204186.tif 000005